(57)【要約】【課題】自動コーヒーマシンは、ヒーター（３）により構成される、多量の熱質量を有するため、熱効率が低い。熱質量は、ブレンドコーヒーの中に注入される水の温度を一定に維持するために用いられる。この構成によれば、熱エネルギーの９０％以上が無駄になる。【解決手段】エネルギーを節約するコーヒーマシンの加熱電流（４１）は、管に直接流れ、管に含まれる水とともに加熱される。急速温度制御回路は、図４に示したヒーター（３）を通して流れる水の一定温度を維持することが可能である。温度測定装置は、加熱電流が管（３０）を導通していないときに、図４に示した管（３０）の抵抗を監視することにより実行される。エネルギー高効率を実現し、スタート押ボタン（４８）を押すことに応じて、直ちにコーヒーの分配が始まり、コーヒーマシンは、カップ一杯と次のカップのコーヒーを分配する間に完全にスイッチをオフにされたままである。【選択図】図４
2015500695.tif 000002
【特許請求の範囲】
【請求項１】
水を沸騰させるときのコーヒー又は他の浸出液用マシンであって、
注入口（３３）及び注出口（３４）の間で、連続又は不連続の水の流れの温度を増加させることを目的として加熱されやすくした管（３０）を含むヒーター（３）と、
前記管（３０）を加熱することを目的として電流を利用しやすくした加熱手段（Ｒ）とを含み、
実質的に前記管（３０）と同一の温度で、自身の温度に基づいて抵抗値を変化させるように構成された少なくとも一つの温度センサー（Ｓ）と、
前記加熱手段（Ｒ）に加熱電流の供給と、前記温度センサー（Ｓ）に測定電流の供給を命令しやすくした制御装置（９）と、
前記測定電流が端子を導通するときに、前記温度センサー（Ｓ）の端子の電圧を測定しやすくし、前記の測定した電圧を既知の基準電圧（５２）と比較しやすくし、エラー信号（５１）を生成しやすくした処理ブロック（４０）と、
前記加熱手段（Ｒ）に、電流の供給を命令しやすくし、前記電流は、受信した前記エラー信号（５１）に比例する、制御装置（９）と、
を含むことを特徴とするマシン。
【請求項２】
前記加熱手段（Ｒ）及び前記温度センサー（Ｓ）は、金属素材からなり、電流が前記管（３０）の両端（３１）の間を導通しやすい前記管（３０）を含む、請求項１に記載のコーヒーマシン。
【請求項３】
前記管（３０）は、変圧器（Ｔ）の二次巻線を形成するために配置され、前記変圧器（Ｔ）の一次巻線は、電源供給ネットワークに接続しやすくする、請求項２に記載のコーヒーマシン。
【請求項４】
前記加熱手段（Ｒ）は、電流が前記管（３０）の両端（３１）の間を導通しやすくする前記管（３０）を含み、
前記温度センサー（Ｓ）は、金属管（３０）に直接接触して配置された比例温度測定装置を含む、請求項１に記載のコーヒーマシン。
【請求項５】
前記加熱手段（Ｒ）及び前記温度センサー（Ｓ）は、前記管（３０）の回りに螺旋状に巻かれた抵抗（３２）を含む、請求項１に記載のコーヒーマシン。
【請求項６】
前記抵抗（３２）は、セリグラフ堆積法（厚膜）を使用して、又は、スパッタリング（陰極スパッタリング）又は化学蒸着若しくは電気化学蒸着を用いて、前記管（３０）に蒸着される、請求項５に記載のコーヒーマシン。
【請求項７】
前記加熱手段は、前記管（３０）の回りに螺旋状に巻かれた抵抗（３２）を含み、
前記温度センサー（Ｓ）は、前記管（３０）を含む、請求項１に記載のコーヒーマシン。
【請求項８】
前記加熱手段（Ｒ）は、ＰＴＣ素材からなる前記管（３０）を含み、電流が前記管（３０）の両端（３１）の間を導通しやすくし、
前記温度センサー（Ｓ）は、前記管（３０）を含む、請求項１に記載のコーヒーマシン。
【請求項９】
前記温度センサー（Ｓ）は、最高温度センサーを含む、請求項１に記載のコーヒーマシン。
【請求項１０】
温度センサー（Ｓ）により検出された温度、及び／又は、経時的な所定のパターンに基づいて前記管（３０）に送る水の流量を調整する制御回路（９）に接続した第２の電流調整器（４６）と結合されたポンプ（２）を含む、請求項１に記載のコーヒーマシン。
【請求項１１】
金属管（３０）を含む前記ヒーター（３）は、加熱される液体の熱質量よりも著しく低い熱質量を有し、第１の端（３３）に低い温度で入り、正確に制御された温度で第２の端（３４）から出る、連続又は不連続な水の流れの温度を調整するように、前記管（３０）の両端（３１）の間に電流（４１）を不連続に導通させ、
前記温度により変化する前記管（３０）の電気抵抗は、前記加熱電流（４１）がゼロのときに測定され、
前記管（３０）の前記電気抵抗は、前記加熱電流（４１）を調整する第１のスイッチ（４５）を順に作動させる第１の電流調整器（４７）を制御する前記制御装置（９）を用いて所定の温度に出る水の温度を維持するように、前記処理ブロック（４０）を用いて常に監視される、請求項１に記載のコーヒーマシン。
【請求項１２】
注出口端（３４）の熱湯の温度の測定は、前記注出口端（３４）に近い前記管（３０）の一部の近くに熱接触して配置された温度センサー（Ｓ）を用いて取得される、請求項１１に記載のマシン。
【請求項１３】
注出口端（３４）の水の温度を測定するためにも使用される過剰温度センサーを含む、請求項１１に記載のマシン。
【請求項１４】
水温の測定のために、前記管（３０）の前記電気抵抗を利用し、前記測定は、前記管（３０）に印加される電圧と前記管（３０）に流れる前記加熱電流（４１）との比率を直接算定することによって実行されることを特徴とする請求項１１に記載のマシン。
【請求項１５】
前記の加熱される水の流量は、所定のパターンに従って経時的に変化する、請求項１に記載のマシン。
【発明の詳細な説明】
【技術分野】
【０００１】
家、オフィス、フィットネスセンター、学校、及び工場（ｉｎｄｕｓｔｒｉｅｓ）に設置された、エスプレッソコーヒーを自動的に生産するマシンは、無数にある。これらのコーヒーマシンのエネルギー消費は、最適化されてなく、コーヒーを作るための実際に利用されるエネルギーは、全体として使い尽くした電力（ｔｏｔａｌ  ａｂｓｏｒｂｅｄ  ｐｏｗｅｒ）のごく少量（ｖｅｒｙ  ｓｍａｌｌ  ｆｒａｃｔｉｏｎ）である。一方、人は、非常に多数のコーヒーマシンが世界中に存在することを考慮すると、注目されるエネルギーの無駄に直面（ｗｉｔｎｅｓｓ）し、他方、人は、使用できる電力が限られた場所でコーヒーを取得できない（例えば、自動車の中や屋外）。本発明の目的は、電気器具の内蔵のバッテリー又は設置された輸送手段で利用可能なバッテリー（自動車のバッテリー等）に代わりに接続することにより、電源供給ネットワークが使用できない状況でさえ、コーヒーを作ることができ、高エネルギー効率のコーヒーマシンを実現することである。
【背景技術】
【０００２】
図１に示すように、家、オフィスにあるエスプレッソコーヒー生産用マシンは、少なくとも水タンク（ｗａｔｅｒ  ｔａｎｋ）（１），ヒーター（３）及び容器（４）に保管したブレンドコーヒー（ｂｌｅｎｄ  ｏｆ  ｃｏｆｆｅｅ）に水を供給するためのポンプ（２）で構成される。容器（４）は、注ぎ口（１１）を介して、カップ（５）にコーヒーを運ぶ。
【０００３】
水は、ブレンドの香り（ａｒｏｍａ）及びエッセンス（ｅｓｓｅｎｃｅ）の最大限引き出すような方法で、ブレンドコーヒー（ｃｏｆｆｅｅ  ｂｌｅｎｄ）と接触する前に、約９０℃に加熱されなければならない。温度センサー（１２）は、ヒーターの温度を必要な温度に一定に維持するために用いられる。コーヒーマシンは、コーヒーストッカー（ｃｏｆｆｅｅ  ｄｉｓｐｅｎｓｅｒ）（１３）に接続したコーヒー挽き機（ｃｏｆｆｅｅ  ｍｉｌｌ）（６）をさらに含んでもよい。別の方法として、挽くこと（ｇｒｉｎｄｉｎｇ）は、コーヒーマシンの外でも行え、ブレンドコーヒーと市場で入手可能な多様な物とで満たされた容器（ｐｏｄ）又はカプセル（ｃａｐｓｕｌｅ）でさえ使用できる。制御装置（ｃｏｎｔｒｏｌ  ｕｎｉｔ）（９）及びキーボードディスプレイ（１０）は、作るべきコーヒーの量及び種類を含む、コーヒーマシンの稼働機能を管理することを可能にし、稼働機能をチェックすること（水の存在、コーヒーの存在、コーヒーを分配する準備が整ったコーヒーマシン、及びその他）を可能にする。さらに、水レベルセンサー（ｗａｔｅｒ  ｌｅｖｅｌ  ｓｅｎｓｏｒ）（７）及び過剰温度調整器（ｏｖｅｒ  ｔｅｍｐｅｒａｔｕｒｅ  ｔｈｅｒｍｏｓｔａｔ）（８）等の補助装置及び安全装置のセットは、含まれる。
【０００４】
現在、利用可能なコーヒーマシンで極めて重要な構成要素は、水を加熱するためのヒーター（３）である。なぜなら、ヒーター（３）は、多量のエネルギーを使用する構成要素だからである。図２は、典型的な実施形態のヒーターのより詳細な図である。水（２１）を運ぶ管（ｔｕｂｅ）は、電気抵抗発熱体（ｅｌｅｃｔｒｉｃａｌ  ｈｅａｔｉｎｇ  ｒｅｓｉｓｔｏｒ）（２２）とともに、金属ブロック（ｍｅｔａｌ  ｂｌｏｃｋ）（２０）を採用し、概してアルミニウムからなる。冷たい水（３３）は、管（２１）の一端から入り、反対側の端（３４）から加熱された水が出る。電流は、ヒーターを加熱するために電気抵抗（２２）に印加される。二つのサーモスタット（ｔｈｅｒｍｏｓｔａｔ）があり、一つは、８５℃〜９０℃の設定温度に調整（１２）し、水を設定温度に保つ間、電気抵抗発熱体（２２）に定期的に電力を供給する。より高い温度に設定された第２の安全サーモスタット（８）は、誤動作した抵抗発熱体（２２）、サーモスタット（１２）、又は制御システムの動作を停止するために介入できる。
【０００５】
ヒーターの工程を以下に説明する。抵抗発熱体（２２）は、全体のブロック（抵抗、水管（ｗａｔｅｒ  ｔｕｂｅ）、及びサーモスタット）が約９０℃に到達するまで、給電（ｆｅｅｄ）される。この時点で、発熱抵抗体（２２）は、制御システムによって接続を断ち、温度が例えば８５℃に落ちるまで再接続しない。発熱素子（ｈｅａｔｉｎｇ  ｅｌｅｍｅｎｔ）の電力は、１２００ワット及び２２００ワット（１５００Ｗが最も一般的な値）の間で変化する。一方、供給電圧は、国（ｃｏｕｎｔｒｙ  ｏｆ  ｏｐｅｒａｔｉｏｎ）に依存して、１１０Ｖ及び２３０Ｖの間で変化する。熱時定数（ｔｈｅｒｍａｌ  ｔｉｍｅ  ｃｏｎｓｔａｎｔ）は、長く、（冷たいコーヒーマシンの）発熱時間は、２分及び５分の間で変化する。一方、稼働状態（ｏｐｅｒａｔｉｎｇ  ｃｏｎｄｉｔｉｏｎ）下の抵抗発熱体（２２）のオン又はオフ周期（ｏｎ／ｏｆｆ  ｃｙｃｌｅ）は、約数秒である。
【０００６】
カップ一杯のコーヒーを作るために用いられるエネルギー：
カップ一杯のエスプレッソコーヒーは、一般的に２５ｃｃの量を有する。水は、約８５℃のコーヒーを入れるために、２０℃の室温から約９０℃に加熱される。１ｃｃの水の温度を１℃上昇させるために、４．１８Ｊに対応する１カロリーが必要である。利用されたエネルギーはジュールで表すと、水の量（２５ｃｃ）を温度差７０℃（２０℃から９０℃）で掛け、水の比熱（ｓｐｅｃｉｆｉｃ  ｈｅａｔ）で掛けた値である。したがって、２５×７０×４．１８＝７，３１５Ｊがカップ一杯のコーヒーを作るために必要である。補助制御回路（ａｕｘｉｌｉａｒｙ  ｃｏｎｔｒｏｌ  ｃｉｒｃｕｉｔ）及びポンプで使用されるエネルギーも考慮すると、実際の量は、約８，０００ジュールと計算できる。
【０００７】
コーヒーマシンによって使い尽くされた電力：
コーヒーマシンの二つの異なる稼働モード（ｏｐｅｒａｔｉｎｇ  ｍｏｄｅ）を特定できる。第１の稼働モードは、コーヒーマシンがカップ一杯のコーヒーを準備するために、毎回、オンにされる一般的な家庭で使用される。第２の稼働モードは、コーヒーマシンが約１０時間、継続的にオンにされ、例えば、３０杯のコーヒーを分配する（ｄｉｓｐｅｎｓｅ）一般的なオフィスで使用される。２分の加熱時間、１５００Ｗの加熱電気を想定した場合、コーヒーマシンがオンになることで５０Ｗを消費し（抵抗発熱体のオン時間（ｏｎ  ｔｉｍｅ）は、全時間の１／３０）、結果は以下のようになる。
【０００８】
第１の稼働モードにおいて、使い尽くす電気は、２分で１５００Ｗ、Ｊ（１ジュール＝１Ｗ×１秒）換算で、１５００Ｗ×１２０秒＝１８０，０００Ｊである。カップ一杯のコーヒーの準備のために必要とされるエネルギーを考慮すると、コーヒーマシンが全体的に消費するエネルギーについては、（８，０００／１８０，０００）×１００＝４．４４％で、利用されたエネルギーのうちの４．４４％しかコーヒーを作るために使用されていない。
【０００９】
第２の稼働モードにおいて、コーヒーマシンは、平均５０Ｗで１０時間、稼働し、５００Ｗ、１，８００，０００Ｊに対応し、起動のための１８０，０００Ｊ（前者の場合）をさらに加えるべきである。したがって、１０時間の稼働において、コーヒーマシンは、約１，９８０，０００Ｊを消費する。カップ３０杯のコーヒーで１，９８０，０００Ｊを割ると、カップ一杯６６，０００Ｊに対応する。この第２の稼働モードにおいて、カップ一杯のコーヒーの準備のために必要となるエネルギーと、カップ一杯のコーヒーのためにコーヒーマシンで消費される全エネルギーとの比率は、８，０００／６６，０００×１００＝１２．１２％であることが判明する。したがって、コーヒーマシンのエネルギー収率（ｅｎｅｒｇｙ  ｙｉｅｌｄ）は、極端に低いことが明らかである。
【発明の概要】
【発明が解決しようとする課題】
【００１０】
本発明の目的は、コーヒーマシンの高い消費レベル（ｈｉｇｈ  ｃｏｎｓｕｍｐｔｉｏｎ  ｌｅｖｅｌ）のために、過去に具体化可能性が考慮されなかった道を開き、コーヒーマシンのエネルギー収率を９０％以上にすることである。
【００１１】
本発明の特徴及び利点は、添付した図面に非限定的例として図示した、以下の発明の実施形態の詳細な説明から、より明らかになる。
【図面の簡単な説明】
【００１２】
【図１】既知で、市場で入手可能なコーヒーマシンの概略図を示す。
【図２】既知の種類のヒーターの概略図を示す。
【図３ａ】本発明に係るコーヒーマシン用ヒーターの異なる実施形態を示す。
【図３ｂ】本発明に係るコーヒーマシン用ヒーターの異なる実施形態を示す。
【図３ｃ】本発明に係るコーヒーマシン用ヒーターの異なる実施形態を示す。
【図３ｄ】本発明に係るコーヒーマシン用ヒーターの異なる実施形態を示す。
【図４】本発明に係るコーヒーマシンの第１の実施形態の全体的な回路図を示す。
【図４ａ】本発明に係るコーヒーマシンの第２の実施形態の全体的な回路図を示す。
【図５ａ】図４のコーヒーマシンの完全な電気回路図を示す。
【図５ｂ】図４のコーヒーマシンの完全な電気回路図を示す。
【図５ｃ】図４のコーヒーマシンの完全な電気回路図を示す。
【図５ｄ】図４のコーヒーマシンの完全な電気回路図を示す。
【発明を実施するための形態】
【００１３】
非常に高いエネルギー収率を達成するために、水を加熱するためのヒーターのコンセプトを完全に変更する必要がある。上記のように、コーヒーマシン用のヒーターは、０．５ｋｇと１ｋｇの範囲の重さの金属塊（ｍｅｔａｌ  ｍａｓｓ）によって構成され、水管及び抵抗が組み込まれる。部品の多数の熱質量（ｓｔｒｏｎｇ  ｔｈｅｒｍａｌ  ｍａｓｓ）が温度を一定に維持する要因となり、数秒周期で稼働するオン／オフサーモスタットによって簡単に制御できるから、この構成的類型（ｃｏｎｓｔｒｕｃｔｉｏｎ  ｔｙｐｏｌｏｇｙ）は、水温の調整を簡単にする。
【００１４】
本発明において、ヒーター（図３）は、実質的に熱慣性（ｔｈｅｒｍａｌ  ｉｎｅｒｔｉａ）がなく、管を通過する水の流れに基づいて、極めて迅速に温度に比例して調整する最新の電気システムによって温度を調整されなければならない、数グラムの重さの管（３０）に帰着する。
【００１５】
本発明の利点は、質量が極端に減少し、ヒーターが即座に熱くなり、ヒーターの温度を継続的に維持する必要がないことによって、即座に明らかになる。この方法において、ヒーターは、コーヒーが準備されなければならないと直ちにオンになって、準備の最後にオフになる。コーヒーマシンが待機するエネルギー消費は、ゼロである一方で、先程の例のコーヒーマシンが待機するエネルギー消費は、約５０Ｗである。ヒーターの質量がたった数グラムしかないことを考慮すると、管（３０）を加熱するためのエネルギー消費も非常に低い。一例として、２０℃から９０℃にする５グラムの質量を有するヒーターを検討する。
【００１６】
５（グラムでのヒーターの質量）×７０（温度間隔（ｔｅｍｐｅｒａｔｕｒｅ  ｉｎｔｅｒｖａｌ））×０．４（金属の平均比熱）＝１４０Ｊ。約８，０００Ｊがカップ一杯のコーヒーを作成するために必要である。結果として、カップ一杯のコーヒーを取得するために利用されたエネルギーは、利用された全てのエネルギーのうちの９８．２５％であることが判明する。このように、補助回路及び損失によっても必要なエネルギーを考慮すると、収率９０％を超えるコーヒーマシンを具体的に考慮できる。
【００１７】
本発明に係るコーヒーマシンは、注入口（ｉｎｌｅｔ）（３３）及び注出口（ｏｕｔｌｅｔ）（３４）の間の水の流れの温度を増加させる目的で加熱されやすくした（ｐｒｅｄｉｓｐｏｓｅｄ）管（３０）を含むヒーター（３）を含む。ヒーター（３）の異なる実施形態は、様々な典型的で、排他的ではない構造の種類を図３ａ，図３ｂ，図３ｃ，及び図３ｄに示す。ヒーター（３）を直線のように示すものの、ヒーター（３）は、完全なコーヒーマシン（ｃｏｍｐｌｅｔｅ  ｍａｃｈｉｎｅ）の構造要件に従う、曲線のある形状、螺旋状の（ｓｐｉｒａｌ，ｈｅｌｉｃｏｉｄ）形状、又は他の複雑な形状であってもよい。
【００１８】
コーヒーマシンは、熱を生成し、管（３０）を加熱するための電流を利用する加熱手段（ｈｅａｔｉｎｇ  ｍｅａｎｓ）（Ｒ）をさらに含む。加熱手段（Ｒ）は、ジュール効果（Ｊｏｕｌｅ  ｅｆｆｅｃｔ）による熱を生成する抵抗の種類であることが好ましい。コーヒーマシンは、実質的に管（３０）と同一の温度で、自身の温度に基づいた抵抗値で変化するように構成された少なくとも一つの温度センサー（Ｓ）をさらに含む。管（３）の極端に限られた質量で、様々な温度への温度センサーの応答は、水温の効率的な制御ができるように、極端に迅速かつ正確でなければならない。
【００１９】
コーヒーマシンの第１の実施形態（図３ａ）において、加熱手段（Ｒ）は、熱くなることと同様に水の流れを加熱するように、導電性の金属素材からなり、管の二つの両端（３１）の間に電流を導通させるように配置した管（３０）を含む。温度センサー（Ｓ）も金属管（３０）を含む。水は、管（３０）の全長対直径比が高いため、管（３０）と非常に効率的な熱交換を用いて熱くなり、注入口部分（３３）から管（３０）の内側に入り、注出口部分（３４）から出る。管（３０）の様々な電気抵抗値は、温度に基づいているため、抵抗値を監視することによって、管及び水の正確な温度を取得することが可能である。管（３０）の電気抵抗が低いため（通常、わずかのオーム）、バッテリー又は低電圧化（ｌｏｗ  ｖｏｌｔａｇｅ  ａｐｐｌｉｃａｔｉｏｎ）に特に適している。
【００２０】
電力供給ネットワーク（ｅｌｅｃｔｒｉｃ  ｐｏｗｅｒ  ｓｕｐｐｌｙ  ｎｅｔｗｏｒｋ）と接続して稼働することに適した更なる実施形態において、管（３０）は、変圧器（ｔｒａｎｓｆｏｒｍｅｒ）（Ｔ）の二次巻線（ｓｅｃｏｎｄａｒｙ  ｗｉｎｄｉｎｇ）を形成するように（図３ｄ及び図４ａ）、配置される。変圧器（Ｔ）の一次巻線（ｐｒｉｍａｒｙ  ｗｉｎｄｉｎｇ）は、電力供給ネットワーク又は電力供給ネットワークと接続した高周波発生器（インバーター（ｉｎｖｅｒｔｅｒ））と代わりに接続しやすい。この第２の場合（ｔｈｉｓ  ｓｅｃｏｎｄ  ｃａｓｅ）において、変圧器（Ｔ）は、より小さく、重さにおいてより軽い。変圧器（Ｔ）の利用は、管（３０）の両端（３１）のより低い電圧を所望の値にでき、電力供給ネットワークに利用可能である供給電圧を維持する。
【００２１】
メインの電圧の稼働に適した別の実施形態を図３ｂに図示した。この実施形態において、管（３０）は、電気的に絶縁するセラミック素材等からなる熱伝導の薄壁、又は、電気的に絶縁する素材の薄層で覆われた金属素材からなる薄壁である。管（３０）を加熱するための加熱手段（Ｒ）は、管の回りに巻かれ、又は管の回りに蒸着処理（ｐｒｏｃｅｓｓ  ｏｆ  ｄｅｐｏｓｉｔｉｏｎ）することによって成形した導電体（３２）を含む。導電体（３２）の両端（３１）の間に電流を導通させることによって、導電体（３２）は、加熱され、管（３０）及び水は、導電体（３２）内にある。この場合も同様に、導電体（３２）の抵抗は、温度により変化してもよい。したがって、導電体（３２）は、管（３０）の場合、水温の測定に使用できる。代わりに、水温を測定するために、図３ａに図示する実施形態の例のように、管（３０）は使用できる。導電体（３２）も、巻かれる、又は、蒸着できるという事実により、より高い抵抗を実現され、電力供給ネットワーク（１１０−２３０Ｖ）との接続に適している。導電体（３２）は、セリグラフ堆積法（ｓｅｒｉｇｒａｐｈｉｃ  ｄｅｐｏｓｉｔｉｏｎ  ｍｅｔｈｏｄ）（厚膜）を使用する管（３０）に蒸着できる。蒸着は、スパッタリング（陰極スパッタリング（ｃａｔｈｏｄｅ  ｓｐｕｔｔｅｒｉｎｇ））、電気分解、及び化学蒸着若しくは電気化学蒸着等の稼働機能の観点から同等である周知技術を使用することによって、行える。
【００２２】
更なる実施形態は、加熱手段（Ｒ）が導電体（３２）を含むことを提供する一方で、温度センサー（Ｓ）は、管（３０）を含む。
【００２３】
上記に説明したように、本明細書の上述の全ての実施形態において、温度センサー（Ｓ）は、実質的に比例温度測定装置（ｐｒｏｐｏｒｔｉｏｎａｌ  ｔｅｍｐｅｒａｔｕｒｅ  ｍｅａｓｕｒｅｍｅｎｔ  ｄｅｖｉｃｅ）である。比例温度測定装置の例は、例えば、サーミスタ（ｔｈｅｒｍｉｓｔｏｒ）、集積回路温度センサー、ダイオード、トランジスタ、熱抵抗（ｔｈｅｒｍｏｒｅｓｉｓｔｏｒ）、及び熱電対（ｔｈｅｒｍｏｃｏｕｐｌｅ）、又は、他の同等の装置からなる。温度センサー（Ｓ）も、最高安全温度を超えたときに、電源供給との接続を切るために、全てのコーヒーマシンに存在する最高温度センサーで構成できる。それは、水温制御用のより低い設定及びコーヒーマシンの安全用のより高い設定という二つの温度設定の回路に接続される。
【００２４】
図４に図示した実施形態において、コーヒーマシンは、バッテリー（５０）によって、電力を供給される。コーヒーマシンは、制御ブロック又は制御装置（９）を含む。制御装置（９）は、第１の電流調整器（４７）を制御しやすい。第１の電流調整器（４７）は、制御された電流を加熱手段（Ｒ）に正確に供給しやすい。電流調整器（４７）の好ましい例は、ＰＷＭ（パルス幅変調（ｐｕｌｓｅ  ｗｉｄｔｈ  ｍｏｄｕｌａｔｉｏｎ））技術を用いて電流に比例して調整することを実現する。加熱手段（Ｒ）への電流の正確な制御は、一定の水温を維持するために重要である。図４に図示した実施形態において、加熱手段は、第１の電流調整器（４７）によって生成される電流が供給される管（３０）によって構成される。
【００２５】
制御装置（９）も発電器（ｃｕｒｒｅｎｔ  ｇｅｎｅｒａｔｏｒ）（４３）を制御しやすくする。発電器（４３）は、温度センサー（Ｓ）への測定電流（ｍｅａｓｕｒｉｎｇ  ｃｕｒｒｅｎｔ）を供給しやすくする。図４に図示した実施形態において、温度センサーは、第２の発電器（４３）によって生成された電流が供給される管（３０）によって、構成される。上記のように、管（３０）の抵抗は、管及び管を通過する水の温度関数である。発電器（４３）は、抵抗値の変化を温度に比例した電圧に変換する。
【００２６】
処理ブロック（４０）は、発電器（４３）によって生成された測定電流のみが管（３０）を導通するときに、温度センサー（Ｓ）、この場合、管（３０）の端子又は末端に存在する電圧を測定しやすい。処理ブロック（４０）は、管（３０）の温度に比例する測定された電圧を増幅し、フィルターにかけ、それを既知の基準電圧（５２）と比較することをさらに実現する。処理ブロック（４０）は、制御装置（９）に送信するエラー信号（５１）を生成する。エラー信号（５１）は、図４の管（３０）である温度センサー（Ｓ）での瞬間温度誤差（ｉｎｓｔａｎｔａｎｅｏｕｓ  ｔｅｍｐｅｒａｔｕｒｅ  ｅｒｒｏｒ）に関する情報を含む。受信したエラー信号（５１）に基づいて、制御装置（９）は、管（３０）である温度センサー（Ｓ）によって測定された温度を所望の値にするため、一定の電流を加熱手段（Ｒ） に送るように、第１の電流調整器（４７）を命令する。第１の電流調整器（４７）は、制御装置（９）から受信した命令をバッテリー（５０）と管（３０）である加熱手段（Ｒ）との間に配置（ｉｎｔｅｒｐｏｓｅｄ）された第１のスイッチ（４５）のオン／オフ比に換算（ｔｒａｎｓｌａｔｅ）する。これにより、水温は、コーヒーの分配からヒーター（３）の水の欠如（ａｂｓｅｎｃｅ  ｏｆ  ｗａｔｅｒ）までのコーヒーマシンの全ての稼働条件下で温度の安定を維持するために、多数回（ｍａｎｙ  ｔｉｍｅｓ）毎秒比例的に（ｐｒｏｐｏｒｔｉｏｎａｌ  ｍａｎｎｅｒ）調整される。
【００２７】
サンプリングブロック（４２）は、第１のスイッチ（４５）が開く時点である、発電器（４３）の測定電流のみを温度センサー（Ｓ）に送るときに、管（３０）である温度センサー（Ｓ）の抵抗の測定を同期しやすいようにする。
【００２８】
第２の電流調整器（４６）は、全ての環境下でコーヒーを作るための水の最適な流量を確保することを目的として、水供給ポンプ（２）に印加される電力を調整しやすくする。容器（４）に収納されるブレンドコーヒーは、適切な温度で水を吹き掛けられる（ｓｐｒａｙ  ｗｉｔｈ）。コーヒーは、注ぎ口（１１）を通過し、カップ（５）に分配できる。体積（ｄｉｍｅｎｓｉｏｎ）を極端に減らしたヒーター（３）の利用は、コーヒーマシンにリアルタイムで水温制御を実行できる、管（３０）の体積を実質的に制限する。これは、既知の種類のコーヒーマシンにおいて、水の流れを一定に維持する義務はないものの、水の流れが経時的に変化し、コーヒーを分配する処理中に特に変化することを意味する。したがって、例えば、ブレンドコーヒーの注入状態を維持するように、熱湯の第１の噴出をブレンドコーヒーに送り、数秒間流れを遮断することが可能である。それから、流れは、コーヒーを分配するように再開する。基本的に、本発明に係るコーヒーマシンにおいて、加熱された水の流量は、所望の所定のパターンに従って経時的に変化する。
【００２９】
上述したように、図４に示した実施形態において、コーヒーマシンは、バッテリー（５０）によって電力を供給されている。コーヒーの分配のスタート及びストップは、スタート／ストップ押ボタン（４８）を用いてユーザによって規定される（ｅｓｔａｂｌｉｓｈｅｄ）。全ての回路は待機し、バッテリーによって使い尽くされた電流は、ゼロであるコーヒーマシンの初期停止条件からスタートし、スタート／ストップ押ボタン（４８）を押すことは、第１のスイッチ（４５）を閉じ、第１の電流調整器（４７）によって管（３０）に送られる電流を用いて、水の加熱を判定する。ポンプ（２）は、水を管（３０）に供給し、タンク（１）から水をくみ出す。稼働は、加熱手段が図３ｂに示した抵抗（３２）を含む場合、変更しない。
【００３０】
管（３０）又は抵抗（３２）に送られる電流は、一定の水温を維持するように、第１の電流調整器（４７）によって、ＰＷＭ（パルス幅変調）技術を用いて比例的に調整される。発電器（４３）は、所定値の電流を管（３０）へ提供する。その中の抵抗は、管（３０）の温度関数であり、水は、管（３０）を通って流れる。処理ブロック（４０）は、加熱電流が両端（３１）を導通していないとき（スイッチ４５が開くとき）で、発電器（４３）によって送られた測定電流が両端（３１）を導通するときに、管（３０）又は抵抗（３２）の両端（３１）に供給される電圧を測定する。処理ブロック（４０）は、温度に比例した信号を増幅してフィルターにかけ、既知の基準電圧とそれを比較し、エラー信号（５１）を生成することを実現する。瞬間温度誤差に関する情報を含むエラー信号（５１）は、エラー信号（５１）を第１のスイッチ（４５）のオン／オフ比に換算する制御装置（９）及び第１の電流調整器（４７）に送られる。したがって、水温は、コーヒーの分配からヒーターの水の欠如までのコーヒーマシンの全ての条件下で温度を安定に維持するために必要とされる、多数回毎秒比例的に調整される。サンプリングブロック（４２）は、第１のスイッチ（４５）が開くときに管（３０）又は抵抗（３２）の抵抗値の測定を同期させる。第２の電流調整器（４６）は、全ての環境下でコーヒーを作るための水の最適な流量を確保するように、ポンプ（２）に印加される電力を代わりに調整する。スタート押ボタン（４８）を押すことによって、ユーザは、所望のレベルでコーヒーの分配をストップし、全てのコーヒーマシンの回路のスイッチを切り、使用（ａｂｓｏｒｐｔｉｏｎ）を再度、ゼロにする。
【００３１】
ＬＥＤ表示灯（４９）は、例えば、継続的に点灯することにより、コーヒーの適切な分配をユーザに通知するために利用できる。異常（水不足、低バッテリー等）の場合、当該ＬＥＤ表示灯は、コーヒーが分配されていないことを知らせるために点滅する。
【００３２】
当業者に既知である全ての補助回路及び安全回路は、明確な説明を実現する目的で省略していることを留意すべきである。
【００３３】
加熱手段として管（３０）の代わりに抵抗（３２）を考慮し、管（３０）の代わりに、抵抗（３２）又は他の比例温度測定装置（８）を考慮すると、コーヒーマシンの稼働は、図示した実施形態の全てに同一であることを留意すべきである。
【００３４】
図３ｃは、管（３０）がＰＴＣ（正の温度係数（ｐｏｓｉｔｉｖｅ  ｔｅｍｐｅｒａｔｕｒｅ  ｃｏｅｆｆｉｃｉｅｎｔ））セラミック素材からできている発明の実施形態を示す。ＰＴＣ素材はキュリー温度（Ｃｕｒｉｅ  ｔｅｍｐｅｒａｔｕｒｅ）に到達することに従う、著しく非線形の抵抗応答／温度応答（ｒｅｓｉｓｔａｎｃｅ／ｔｅｍｐｅｒａｔｕｒｅ  ｒｅｓｐｏｎｓｅ）を有する。ＰＴＣ素材は、２０℃〜３０℃の温度間隔で１０倍と同じ程度、抵抗値を増加させる。これは、稼働温度の一定の調整を可能にする。一般的にこの調整は、９０℃で数℃の許容差（ａｌｌｏｗａｎｃｅ  ｏｆ  ａ  ｆｅｗ  ｄｅｇｒｅｅｓ）とともに水温を維持するために、十分に正確ではない。しかしながら、万一、制御装置（９）の異常の場合、事前調整（ｐｒｅ−ｒｅｇｕｌａｔｉｏｎ）及び／又は安全対策は、有益である。第２の電流調整器（４６）を用いてポンプ（２）の流量を変更することによって、数℃の必要な精度内にそれを収め、ＰＴＣの典型的な温度制御が向上できる。このように、ＰＴＣ抵抗値は、第２の電流調整器（４６）を介してポンプ（２）の流量を調整するために利用される。この場合、ＰＷＭ電流発電器（４３）は、最大デューティサイクル（ｍａｘｉｍｕｍ  ｄｕｔｙ−ｃｙｃｌｅ）で維持される。
【００３５】
本明細書において説明及び図示した全ての実施形態において、制御装置（９）に接続した一つ以上の最高温度センサーは、提供される。当業者の理解の及ぶ範囲の所与の最高温度センサーは、図示していない。最高温度センサー又はセンサーによって検出された温度が所定の閾値を超えている場合、制御装置（９）は、加熱手段（Ｒ） の動作を停止する。
【００３６】
図５ａ，図５ｂ，図５ｃ，及び図５ｄにおいて、本発明の対象であるコーヒーマシンの完全で機能的な具現化は、ヒーター（３）の具現化のために、電力及び制御措置の一部に示す。ブレンドコーヒー（４）用の水タンク（１）、ポンプ（２）、容器の具現化は、市場において入手可能な標準構成要素（ｓｔａｎｄａｒｄ  ｃｏｍｐｏｎｅｎｔ）であるため、詳細には図示していない。代わりに、利用された構成要素のリストを図６に示す。
【図１】
2015500695.tif 000003
【図２】
2015500695.tif 000004
【図３ａ】
2015500695.tif 000005
【図３ｂ】
2015500695.tif 000006
【図３ｃ】
2015500695.tif 000007
【図３ｄ】
2015500695.tif 000008
【図４】
2015500695.tif 000009
【図４ａ】
2015500695.tif 000010
【図５ａ】
2015500695.tif 000011
【図５ｂ】
2015500695.tif 000012
【図５ｃ】
2015500695.tif 000013
【図５ｄ】
2015500695.tif 000014
【国際調査報告】
2015500695.tif 000015
2015500695.tif 000016
2015500695.tif 000017